(57)【要約】      （修正有）【課題】紙種・紙質情報を得て、出力画像の画質が高い画像形成装置及び画像形成装置の制御方法を提供する。【解決手段】本発明の画像形成装置は、用紙搬送ユニット１９と、感光体２３を露光して静電潜像を形成する露光ユニット９と、現像装置１０と、中間転写ベルト３３と、二次転写ユニット１６と、定着ユニット６３で構成され、該露光ユニット９からの光路のうち感光体２３上の画像形成領域外の非画像形成領域を通る余裕分光路と、該余裕分光路中に設けられる光路変更手段（８１、８２、８３）と、該光路変更手段からの光を用紙に照射する照射手段と、該照射手段からの反射光を受光し、反射光の強度を検出する反射光受光部９１と、を有し、該反射光受光部９１において検出された反射光の強度に応じて、該用紙搬送ユニット１９の設定又は／及び該現像装置１０の設定又は／及び該定着ユニット６３の設定を変更することを特徴とする。【選択図】 図１
2008256959.tif 000002
【特許請求の範囲】
【請求項１】
用紙を搬送する用紙搬送手段と、
感光体と、
該感光体を露光して静電潜像を形成する露光手段と、
該感光体に形成された静電潜像をトナーにより現像する現像手段と、
該感光体上で現像された現像像を転写する中間転写体と、
該中間転写体上の現像像を用紙に転写する転写手段と、
該転写手段により転写された用紙上のトナー象を融着して永久可視像とする定着手段と、
該露光手段に設けられる露光光源と、
該露光光源からの光路のうち感光体上の画像形成領域外の非画像形成領域を通る余裕分光路と、
該余裕分光路中に設けられる光路変更手段と、
該光路変更手段からの光を用紙に照射する照射手段と、
該照射手段からの反射光を受光し、反射光の強度を検出する受光手段と、を有し、
該受光手段において検出された反射光の強度に応じて、該用紙搬送手段の設定又は／及び該現像手段の設定又は／及び該定着手段の設定を変更することを特徴とする画像形成装置。
【請求項２】
用紙を搬送する用紙搬送手段と、
感光体と、
該感光体を露光して静電潜像を形成する露光手段と、
該感光体に形成された静電潜像をトナーにより現像する現像手段と、
該感光体上で現像された現像像を用紙に転写する転写手段と、
該転写手段により転写された用紙上のトナー象を融着して永久可視像とする定着手段と、
該露光手段に設けられる露光光源と、
該露光光源からの光路のうち感光体上の画像形成領域外の非画像形成領域を通る余裕分光路と、
該余裕分光路中に設けられる光路変更手段と、
該光路変更手段からの光を用紙に照射する照射手段と、
該照射手段からの反射光を受光し、反射光の強度を検出する受光手段と、を有し、
該受光手段において検出された反射光の強度に応じて、該用紙搬送手段の設定又は／及び該現像手段の設定又は／及び該定着手段の設定を変更することを特徴とする画像形成装置。
【請求項３】
該用紙搬送手段における用紙搬送スピードの設定を変更することを特徴とする請求項１又は請求項２に記載の画像形成装置。
【請求項４】
該現像手段におけるバイアス電圧の設定を変更することを特徴とする請求項１乃至請求項３のいずれかに記載の画像形成装置。
【請求項５】
該定着手段における定着温度の設定を変更することを特徴とする請求項１乃至請求項４のいずれかに記載の画像形成装置。
【請求項６】
該露光光源がレーザであることを特徴とする請求項１乃至請求項５のいずれかに記載の画像形成装置。
【請求項７】
該露光光源がＬＥＤであることを特徴とする請求項１乃至請求項５のいずれかに記載の画像形成装置。
【請求項８】
該露光光源が有機ＥＬ素子であることを特徴とする請求項１乃至請求項５のいずれかに記載の画像形成装置。
【請求項９】
用紙を搬送する用紙搬送手段と、
感光体と、
該感光体を露光して静電潜像を形成する露光手段と、
該感光体に形成された静電潜像をトナーにより現像する現像手段と、
該感光体上で現像された現像像を転写する中間転写体と、
該中間転写体上の現像像を用紙に転写する転写手段と、
該転写手段により転写された用紙上のトナー象を融着して永久可視像とする定着手段と、
該露光手段に設けられる露光光源と、
該露光光源からの光路のうち感光体上の画像形成領域外の非画像形成領域を通る余裕分光路と、
該余裕分光路中に設けられる光路変更手段と、
該光路変更手段からの光を用紙に照射する照射手段と、
該照射手段からの反射光を受光し、反射光の強度を検出する受光手段と、を有する画像形成装置を制御する画像形成装置の制御方法であって、
該受光手段において検出された反射光の強度に応じて、該用紙搬送手段の設定又は／及び該現像手段の設定又は／及び該定着手段の設定を変更することを特徴とする画像形成装置の制御方法。
【請求項１０】
用紙を搬送する用紙搬送手段と、
感光体と、
該感光体を露光して静電潜像を形成する露光手段と、
該感光体に形成された静電潜像をトナーにより現像する現像手段と、
該感光体上で現像された現像像を用紙に転写する転写手段と、
該転写手段により転写された用紙上のトナー象を融着して永久可視像とする定着手段と、
該露光手段に設けられる露光光源と、
該露光光源からの光路のうち感光体上の画像形成領域外の非画像形成領域を通る余裕分光路と、
該余裕分光路中に設けられる光路変更手段と、
該光路変更手段からの光を用紙に照射する照射手段と、
該照射手段からの反射光を受光し、反射光の強度を検出する受光手段と、を有する画像形成装置を制御する画像形成装置の制御方法であって、
該受光手段において検出された反射光の強度に応じて、該用紙搬送手段の設定又は／及び該現像手段の設定又は／及び該定着手段の設定を変更することを特徴とする画像形成装置の制御方法。
【発明の詳細な説明】
【技術分野】
【０００１】
本発明は、レーザや発光素子アレイ走査によって感光体上に潜像を形成し、この潜像を現像することによって画像を得る方式のプリンタ、複写機、ファクシミリ装置、複合機などの画像形成装置及び画像形成装置の制御方法に関する。
【背景技術】
【０００２】
従来、プリンタ、複写機、ファクシミリ装置、複合機などの画像形成装置においては、レーザ走査や発光素子アレイによって感光体上に潜像を形成し、この潜像を現像することによって画像を得る、という画像形成プロセスのものが知られている。
【０００３】
このような画像形成プロセスでは、画像をその上に形成する用紙の紙質、紙種の違い（紙の表面が粗いか、滑らかであるか、など）によって、画像形成プロセスにおけるパラメーターの変更を行うと、それぞれの紙質、紙種に応じた理想的な画像形成を行うことが可能となる。従来、画像形成プロセスの前段に紙種情報を得ようとする試みが種々なされている。紙種情報を得るためには光学的な検出方法を用いることが考えられ、そのようなものの例としては、例えば特許文献１（特開２０００−７５５６２公報）に、発光部と、受光部と、発光部の光を被印字媒体に照射してその透過光量を受光部によって検出する検出部と、前記検出部の出力によって前記被印字媒体の透過性を判別する被印字媒体判別手段とを備えて、被印字媒体の透過性の違いによって異なる印字制御を行う画像形成装置において、前記検出部は切替え可能な複数の感度を有することを特徴とする画像形成装置が記載されている。
【特許文献１】特開２０００−７５５６２公報
【発明の開示】
【発明が解決しようとする課題】
【０００４】
特許文献１に開示される構成によれば、紙種情報を得るための専用の発光部などを設ける必要があり、構成が複雑となる、という問題があった。
【課題を解決するための手段】
【０００５】
上記のような問題を解決するために、本発明の画像形成装置は、用紙を搬送する用紙搬送手段と、感光体と、該感光体を露光して静電潜像を形成する露光手段と、該感光体に形成された静電潜像をトナーにより現像する現像手段と、該感光体上で現像された現像像を転写する中間転写体と、該中間転写体上の現像像を用紙に転写する転写手段と、該転写手段により転写された用紙上のトナー象を融着して永久可視像とする定着手段と、該露光手段に設けられる露光光源と、該露光光源からの光路のうち感光体上の画像形成領域外の非画像形成領域を通る余裕分光路と、該余裕分光路中に設けられる光路変更手段と、該光路変更手段からの光を用紙に照射する照射手段と、該照射手段からの反射光を受光し、反射光の強度を検出する受光手段と、を有し、該受光手段において検出された反射光の強度に応じて、該用紙搬送手段の設定又は／及び該現像手段の設定又は／及び該定着手段の設定を変更することを特徴とする。
【０００６】
また、本発明の画像形成装置は、用紙を搬送する用紙搬送手段と、感光体と、該感光体を露光して静電潜像を形成する露光手段と、該感光体に形成された静電潜像をトナーにより現像する現像手段と、該感光体上で現像された現像像を用紙に転写する転写手段と、該転写手段により転写された用紙上のトナー象を融着して永久可視像とする定着手段と、該露光手段に設けられる露光光源と、該露光光源からの光路のうち感光体上の画像形成領域外の非画像形成領域を通る余裕分光路と、該余裕分光路中に設けられる光路変更手段と、該光路変更手段からの光を用紙に照射する照射手段と、該照射手段からの反射光を受光し、反射光の強度を検出する受光手段と、を有し、該受光手段において検出された反射光の強度に応じて、該用紙搬送手段の設定又は／及び該現像手段の設定又は／及び該定着手段の設定を変更することを特徴とする。
【０００７】
また、本発明の画像形成装置は、該用紙搬送手段における用紙搬送スピードの設定を変更することを特徴とする。
【０００８】
また、本発明の画像形成装置は、該現像手段におけるバイアス電圧の設定を変更することを特徴とする。
【０００９】
また、本発明の画像形成装置は、該定着手段における定着温度の設定を変更することを特徴とする。
【００１０】
また、本発明の画像形成装置は、該露光光源がレーザであることを特徴とする。
【００１１】
また、本発明の画像形成装置は、該露光光源がＬＥＤであることを特徴とする。
【００１２】
また、本発明の画像形成装置は、該露光光源が有機ＥＬ素子であることを特徴とする。
【００１３】
また、本発明の画像形成装置の制御方法は、用紙を搬送する用紙搬送手段と、感光体と、該感光体を露光して静電潜像を形成する露光手段と、該感光体に形成された静電潜像をトナーにより現像する現像手段と、該感光体上で現像された現像像を転写する中間転写体と、該中間転写体上の現像像を用紙に転写する転写手段と、該転写手段により転写された用紙上のトナー象を融着して永久可視像とする定着手段と、該露光手段に設けられる露光光源と、該露光光源からの光路のうち感光体上の画像形成領域外の非画像形成領域を通る余裕分光路と、該余裕分光路中に設けられる光路変更手段と、該光路変更手段からの光を用紙に照射する照射手段と、該照射手段からの反射光を受光し、反射光の強度を検出する受光手段と、を有する画像形成装置を制御する画像形成装置の制御方法であって、該受光手段において検出された反射光の強度に応じて、該用紙搬送手段の設定又は／及び該現像手段の設定又は／及び該定着手段の設定を変更することを特徴とする。
【００１４】
また、本発明の画像形成装置の制御方法は、用紙を搬送する用紙搬送手段と、感光体と、該感光体を露光して静電潜像を形成する露光手段と、該感光体に形成された静電潜像をトナーにより現像する現像手段と、該感光体上で現像された現像像を用紙に転写する転写手段と、該転写手段により転写された用紙上のトナー象を融着して永久可視像とする定着手段と、該露光手段に設けられる露光光源と、該露光光源からの光路のうち感光体上の画像形成領域外の非画像形成領域を通る余裕分光路と、該余裕分光路中に設けられる光路変更手段と、該光路変更手段からの光を用紙に照射する照射手段と、該照射手段からの反射光を受光し、反射光の強度を検出する受光手段と、を有する画像形成装置を制御する画像形成装置の制御方法であって、該受光手段において検出された反射光の強度に応じて、該用紙搬送手段の設定又は／及び該現像手段の設定又は／及び該定着手段の設定を変更することを特徴とする。
【００１５】
以上のような本発明の画像形成装置及び画像形成装置の制御方法によれば、簡単な構成によって、紙種・紙質情報を得ることができる。また、本発明の画像形成装置及び画像形成装置の制御方法によれば、得られた紙種・紙質情報を画像形成プロセスに反映することができるので、画質の向上を図ることができる。
【発明を実施するための最良の形態】
【００１６】
以下、本発明の実施の形態を図面を参照しつつ説明する。図１は、本発明の実施の形態に係るタンデムタイプを例とした画像形成装置の全体構成を示す断面図である。図１においては、１は画像形成装置、９は露光ユニット、１０は現像装置、１１は画像形成ユニット、１５は転写ベルトユニット、１６は二次転写ユニット、１７は給紙ユニット、１９は用紙搬送ユニット、２１はトナーカートリッジ、２１Ｙはイエロートナーカートリッジ、２１Ｍはマゼンタトナーカートリッジ、２１Ｃはシアントナーカートリッジ、２１Ｋはブラックトナーカートリッジ、２３は感光体、２５はコロナ帯電手段、２７は駆動ローラ、２９は従動ローラ、３３は中間転写ベルト、３９は２次転写ローラ、４５はポリゴンミラーモーター、４７はポリゴンミラー、４９はスキャナ手段、５１はｆ−θレンズ、５３は反射ミラー、５７は給紙カートリッジ、５９はピックアップローラ、６１はゲートローラ対、６３は定着ユニット、６５は排紙ローラ対、６９は定着ローラ対、７１は操作表示パネルをそれぞれ示している。
【００１７】
画像形成装置１は、不図示のハウジング内の、露光ユニット９、画像形成ユニット１１、転写ベルトユニット１５、二次転写ユニット１６及び給紙ユニット１７、用紙搬送ユニット１９が設けられている。
【００１８】
画像形成ユニット１１は、異なる色のトナーを収納する４つの現像装置をセットすることができる４つのトナーカートリッジ２１を備えている。４つのトナーカートリッジ２１は、イエロー、マゼンタ、シアン及びブラックの各現像装置用であり、図中、符号２１Ｙ、２１Ｍ、２１Ｃ及び２１Ｋで示している。各トナーカートリッジ２１Ｙ、２１Ｍ、２１Ｃ及び２１Ｋには、感光体２３と、感光体２３の周囲に設けられた、コロナ帯電手段２５と、現像装置１０とが配設されている。
【００１９】
転写ベルトユニット１５は、図示しない駆動源に回転駆動される駆動ローラ２７と、駆動ローラ２７の従動ローラ２９と、これら各ローラ間に張架され、循環駆動される中間転写ベルト３３と、を備えている。
【００２０】
感光体２３は、転写ベルトユニット１５面に圧接され、回転駆動される。不図示のテンションローラを設けておき、このようなテンションローラの位置を調節することにより、中間転写ベルト３３の張力、曲率等を制御することができる。
【００２１】
駆動ローラ２７は、二次転写ユニット１６においては、２次転写ローラ３９のバックアップローラを兼ねている。また駆動ローラ２７の周面には、例えば厚さ３ｍｍ程度、体積抵抗率１０5Ω・ｃｍ以下のゴム層が形成されており、金属製の軸を介して接地することにより、２次転写ローラ３９を介して供給される２次転写バイアスの導電経路を構成している。
【００２２】
中間転写ベルト３３の裏面には、各トナーカートリッジ２１Ｙ、２１Ｍ、２１Ｃ及び２１Ｋの感光体２３に対向する位置に１次転写部材４３が当接し、１次転写部材４３には転写バイアスが印加されるようになっている。
【００２３】
このような転写バイアスや先の２次転写バイアスの印加電圧等の設定調整は不図示のバイアス印加ユニット７５が担っている。
【００２４】
次に、露光ユニット９を図２も参照しつつ説明する。図２は露光ユニットと１つの感光体との関係を模式的に示す図である。図２において、４５はポリゴンミラーモーター、４７はポリゴンミラー、４９はスキャナ手段、５１はｆ−θレンズ、５３は反射ミラーをそれぞれ示している。
【００２５】
露光ユニット９は、図１に示すように、画像形成ユニット１１の上方の空間に設けられている。露光ユニット９の下方には給紙ユニット１７が設けられている。露光ユニット９は、ポリゴンミラーモーター４５及びポリゴンミラー４７からなるスキャナ手段４９を配設している。また光路には、単一のｆ−θレンズ５１及び反射ミラー５３が設けられ、各色の走査光路が感光体２３に照射されるようになっている。
【００２６】
露光ユニット９では、ポリゴンミラー４７から各色に対応した画像信号が、共通のデータクロック周波数に基づいて変調形成されたレーザビームで射出され、ｆ−θレンズ５１、反射ミラー５３を経て、各トナーカートリッジ２１Ｙ、２１Ｍ、２１Ｃ及び２１Ｋの感光体２３に照射され、潜像が形成される。
【００２７】
給紙ユニット１７は、用紙Ｐが積層されている給紙カートリッジ５７と、給紙カートリッジ５７から用紙Ｐを１枚ずつ給送するピックアップローラ５９とを備えている。用紙搬送ユニット１９は、２次転写部への記録媒体Ｐの給紙タイミングを規定するゲートローラ対６１と、駆動ローラ２７及び中間転写ベルト３３に圧接される２次転写ローラ３９と、定着ユニット６３と、排紙ローラ対６５と、を備えている。
【００２８】
定着ユニット６３は、少なくとも一方にハロゲンヒータ等の発熱体を内蔵した回転自在な定着ローラ対６９と、定着ローラ対６９の少なくとも一方側のローラを他方側へ押圧付勢して用紙に２次転写された２次画像を記録媒体Ｐに押圧する押圧手段とを有し、用紙などの記録媒体に２次転写された２次画像を形成するトナーは、定着ローラ対６９の形成するニップ部において所定温度で記録媒体に融着、永久可視像とされる。
【００２９】
現像装置１０は、トナーを循環して使用するタイプのものであり、各トナーカートリッジ２１Ｙ、２１Ｍ、２１Ｃ及び２１Ｋにセットして使用する。これら現像装置の構成は基本的に同じである。
【００３０】
操作部（操作手段）は、ユーザーが画像形成装置１を操作するための部分であり、操作表示パネル７１や操作ボタン等から成る。操作表示パネル７１上には、タッチパネル等のデバイスが設けられており、ユーザーは操作表示パネル７１上に表示されるＵＩ（ユーザーインターフェイス）を参照しながら、直接、操作表示パネル７１に触れることによってプリンタ２の操作ができるようになっている。当該操作部では、画像形成装置１における印刷条件の設定など各種の設定行為が可能である。
【００３１】
用紙搬送ユニット１９を通過する用紙には、露光ユニット９からの画像形成に用いない分の光が、光路変更手段によって照射される。このとき用紙Ｐから反射光を受光して強度検出するのが反射光受光部９１であり、照射された光の透過光を受光して強度検出するのが透過光受光部９２である。
【００３２】
次に、図３を参照しつつ露光ユニット９のうち、画像形成に用いない余剰光について説明する。図３は、本発明の画像形成装置における反射ミラーと感光体を抜き出して示す図である。反射ミラー５３で反射され、感光体２３に照射される光のうち、感光体２３上で画像が形成される画像形成領域に照射される分は、図中の光路Ｂ〜光路Ｃの光であり、光路Ａ〜光路Ｂ、光路Ｃ〜光路Ｄの光は、画像形成に用いることはない余裕分の光となる。本発明においては、このような余裕分の光を用紙Ｐに導き、用紙Ｐの紙種・紙質の検出に用いるものであり、そのために余裕分光路中に光路変更手段を設けるものである。レーザー方式の露光ユニット９を用いる場合には、図３中に示すような第１光路変更部８１、第２光路変更部８２、第３光路変更部８３などからなる光路変更手段を用いて、用紙Ｐに光を照射する。なお、レーザー光の波長は、７８５ｎｍ程度である。
【００３３】
図４は、露光ユニット９としてラインヘッドを用いたとき余剰光を用紙Ｐまで導く構成を示す図である。図４において、８５はラインヘッド、８６はラインヘッド余剰光受光部、８７は光ファイバーをそれぞれ示す。ラインヘッド８５の両端部にも画像形成に用いることのない余裕発光部が存在し、この余裕発光部からの光をラインヘッド余剰光受光部８６が受光して、光ファイバー８７を用いて、用紙Ｐに光を照射する。なお、ラインヘッドとしては、ＬＥＤからなるもの、有機ＥＬ素子からなるものの双方を用いることができる。
【００３４】
このように本発明においては、露光ユニット９の余剰光を用いるような簡単な構成によって、紙種・紙質情報を得るものであり、得られた紙種・紙質情報を画像形成プロセスに反映することができるので、画質の向上を図るものである。
【００３５】
以上のように構成される画像形成装置の制御について説明する。図５は、本発明の実施形態に係る制御に関連する要素のブロック構成を示す図である。図５において、制御部１００は、ＣＰＵ、ＲＡＭやＲＯＭを有する汎用の情報処理機構であり、反射光受光部９１において検出される反射光強度や、操作表示パネル７１におけるユーザー設定が入力され、これらの入力に応じて各ユニットの制御を行う。なお、操作表示パネル７１におけるユーザーとは、ユーザーによる画質の好みの設定であり、当該設定に基づいて画像形成プロセスにおける各ユニットの設定パラメーターを変更するものである。
【００３６】
本発明における画像形成プロセス中に設定変更が可能なパラメーターは、搬送ユニット１９の搬送速度、画像形成ユニット１１及び二次転写ユニット１６のバイアス電圧（バイアス印加ユニット７５の設定による）、定着ユニット６３の定着温度としたが、これ以外のパラメーターを、反射光によって得られる紙種・紙質情報によって変更することも可能である。
【００３７】
図６は、反射光受光部９１における反射光強度と各パラメーターとの関係概略を示す図である。なお、図６において示す関係概略図は一つの目安であり、
図６（Ａ）は、反射光受光部９１における反射光強度と用紙Ｐの表面の平滑度（表面粗さの逆）との関係を示す図である。表面粗さが低い、すなわち平滑度が高いほど、用紙Ｐに照射した光の反射光の強度は強い。
【００３８】
図６（Ｂ）は、反射光受光部９１における反射光強度と搬送ユニット１９の搬送速度との関係を示す図である。表面粗さが高いほど（平滑度が低いほど）、用紙Ｐへのトナー吸着量が増える。増えた分のトナーを融かすための熱容量を定着ユニット６３の通過時間で稼ぐようにする。この定着ユニット６３の通過時間は、搬送ユニット１９の搬送速度によって決めることができる。
【００３９】
図６（Ｃ）は、反射光受光部９１における反射光強度と画像形成ユニット１１及び二次転写ユニット１６のバイアス電圧との関係を示す図である。平滑度の高い用紙Ｐほどトナーの吸着率が低くなるので、その分バイアス電圧を上げてトナー吸着量を増やすようにする。
【００４０】
図６（Ｄ）は、反射光受光部９１における反射光強度と定着ユニット６３の定着温度との関係を示す図である。表面粗さが高いほど（平滑度が低いほど）、用紙Ｐへのトナー吸着量が増える。増えた分のトナーを融かすための熱容量を定着ユニット６３の温度上昇によってまかなうようにする。
【００４１】
以上のような傾向に基づいて、制御部１００は搬送ユニット１９の搬送速度、画像形成ユニット１１及び二次転写ユニット１６のバイアス電圧、定着ユニット６３の定着温度の制御を行う。なお、制御部１００は、搬送速度、バイアス電圧、定着温度のいずれかを制御してもよいし、これらのうちの任意の組み合わせを制御するようにしてもよい。
【００４２】
なお、以上の本実施形態の説明では、反射光受光部９１において検出された光強度に係る情報によって、搬送ユニット１９の搬送速度、画像形成ユニット１１及び二次転写ユニット１６のバイアス電圧、定着ユニット６３の定着温度の各設定を変更するような場合について説明したが、透過光受光部９２からの情報を画像形成プロセスに利用するように構成することも可能である。
【００４３】
また、以上の本実施形態の説明においては、感光体２３上の現像像をいったん中間転写ベルト３３に１次転写してから、二次転写ユニット１６にて二次転写を行うものについて示したが、本発明はこのような２回の転写によって、用紙に転写するものに限らず、感光体から直接用紙に転写する画像形成装置にも適用可能なものである。
【００４４】
以上のような本発明によれば、簡単な構成によって、紙種・紙質情報を得ることができる。また、本発明の画像形成装置及び画像形成装置の制御方法によれば、得られた紙種・紙質情報を画像形成プロセスに反映することができるので、画質の向上を図ることができる。
【図面の簡単な説明】
【００４５】
【図１】本発明の実施の形態に係る画像形成装置の全体構成を示す断面図である。
【図２】図２は露光ユニットと１つの感光体との関係を模式的に示す図である。
【図３】本発明の画像形成装置における反射ミラーと感光体を抜き出して示す図である。
【図４】露光ユニット９としてラインヘッドを用いたとき余剰光を用紙Ｐまで導く構成を示す図である。
【図５】本発明の実施形態に係る制御に関連する要素のブロック構成を示す図である。
【図６】反射光受光部９１における反射光強度と各パラメーターとの関係概略を示す図である。
【符号の説明】
【００４６】
１・・・画像形成装置、９・・・露光ユニット、１０・・・現像装置、１１・・・画像形成ユニット、１５・・・転写ベルトユニット、１６・・・二次転写ユニット、１７・・・給紙ユニット、１９・・・用紙搬送ユニット、２１・・・トナーカートリッジ、２１Ｙ・・・イエロートナーカートリッジ、２１Ｍ・・・マゼンタトナーカートリッジ、２１Ｃ・・・シアントナーカートリッジ、２１Ｋ・・・ブラックトナーカートリッジ、２３・・・感光体、２５・・・コロナ帯電手段、２７・・・駆動ローラ、２９・・・従動ローラ、３３・・・中間転写ベルト、３９・・・２次転写ローラ、４５・・・ポリゴンミラーモーター、４７・・・ポリゴンミラー、４９・・・スキャナ手段、５１・・・ｆ−θレンズ、５３・・・反射ミラー、５７・・・給紙カートリッジ、５９・・・ピックアップローラ、６１・・・ゲートローラ対、６３・・・定着ユニット、６５・・・排紙ローラ対、６９・・・定着ローラ対、７１・・・操作表示パネル、７５・・・バイアス印加ユニット、８１・・・第１光路変更部、８２・・・第２光路変更部、８３・・・第３光路変更部、８５・・・ラインヘッド、８６・・・ラインヘッド余剰光受光部、８７・・・光ファイバー、９１・・・反射光受光部、９２・・・透過光受光部、１００・・・制御部
【図１】
2008256959.tif 000003
【図２】
2008256959.tif 000004
【図３】
2008256959.tif 000005
【図４】
2008256959.tif 000006
【図５】
2008256959.tif 000007
【図６】
2008256959.tif 000008